(57)【要約】【課題】表示画面における３つ以上の分割領域のうちの隣り合う分割領域の画像のみを一回の操作で拡大して表示可能にする。【解決手段】領域設定部２４は、操作検出部２３がピンチアウト操作を検出すると、表示部１２の表示画面を二分した両分割領域のみを設定する。表示制御部２６は、領域設定部２４により設定された両分割領域に画像を拡大して表示させ、両分割領域以外の他の分割領域の画像を表示させない。これにより、ピンチアウト操作がされた隣り合う２つの分割領域の画像のみを、一回の操作で拡大して表示させることができる。【選択図】図１
2019125054.tif 000002
【特許請求の範囲】
【請求項１】
表示部と、
前記表示部に表示画面を複数に分割した分割領域ごとに画像を表示させる表示制御部と、
前記表示部の表示画面に設けられたタッチパネルと、
前記表示制御部が前記表示画面を３つ以上に分割した表示を前記表示部に行わせているときに、３つ以上の分割領域のうちの隣り合う２つの分割領域をそれぞれ１本の指ずつで触れた状態でその両指を広げるように動かすピンチアウト操作を、前記タッチパネルからの検知信号に基づいて検出する操作検出部と、
前記操作検出部にて前記ピンチアウト操作が検出されると、前記表示画面において、当該ピンチアウト操作により両方の指が移動する方向に前記２つの分割領域を並列させ、前記表示画面を二分して当該両分割領域のみを配置する設定を行う領域設定部とを備え、
前記表示制御部は、前記領域設定部により設定された前記両分割領域として、当該ピンチアウト操作がされた前記各分割領域の画像を拡大して表示させ、前記両分割領域以外の他の分割領域の画像を表示させない情報端末装置。
【請求項２】
前記操作検出部にて前記ピンチアウト操作が検出されると、当該ピンチアウト操作の際の各指の移動量の比率から前記表示画面の分割比を求める分割比算出部を更に備え、
前記領域設定部は、前記両分割領域を、前記分割比算出部が求めた前記分割比に応じた大きさにそれぞれ設定し、
前記表示制御部は、前記分割比に応じた大きさの前記両分割領域として、当該ピンチアウト操作がされた前記各分割領域の画像を拡大して表示させる請求項１に記載の情報端末装置。
【請求項３】
前記操作検出部は、前記表示画面おいて前記隣り合う２つの分割領域をそれぞれ１本の指ずつで触れた状態でその両指を狭めるように動かす操作であるピンチイン操作を、前記タッチパネルからの検知信号に基づいて検出し、
前記領域設定部は、前記分割比に応じた大きさの前記両分割領域に当該ピンチアウト操作がされた各分割領域の画像を拡大して表示させている場合に、前記操作検出部にて前記ピンチイン操作が検出されると、前記両分割領域をなすそれぞれの領域同士が１：１の分割比となる大きさに設定し、
前記表示制御部は、前記１：１の分割比の大きさとした前記両分割領域を前記表示部に表示させる請求項２に記載の情報端末装置。
【請求項４】
前記領域設定部は、前記分割比に応じた大きさの前記両分割領域に当該ピンチアウト操作がされた各分割領域の画像を拡大して表示させている場合に、当該両分割領域をそれぞれの指で触れた状態で、当該各指を、前記ピンチアウト操作による指の移動方向に対して直交する方向に平行移動させる復帰操作が前記操作検出部にて検出されると、前記表示部の表示画面の状態を、当該両分割領域が表示される前の前記３つ以上の分割領域の設定に戻す請求項２に記載の情報端末装置。
【請求項５】
前記表示画面における前記隣り合う２つの分割領域の画像について予め定められた特定のイベントが発生しているか否かを判定するイベント判定部を更に備え、
前記領域設定部は、前記イベント判定部が前記特定のイベントが発生していると判定した場合に、前記ピンチイン操作を前記操作検出部にて検出されたとしても、前記表示画面における前記分割領域の表示数を変化させない請求項１乃至請求項４のいずれか１つに記載の情報端末装置。
【請求項６】
前記表示制御部は、前記分割比に応じた大きさの前記両分割領域に画像を拡大して表示させている場合に、前記操作検出部にて当該両分割領域のうちの一方の分割領域に１本の指で触れた状態で他方の分割領域に向けて当該指を動かす操作が検出されると、当該両分割領域の画像を入れ替えて表示させる請求項２に記載の情報端末装置。
【請求項７】
前記分割比算出部は、前記ピンチアウト操作を検出すると、当該ピンチアウト操作の際の各指の移動量の比率が予め定められた上限比率を上回るときには、前記表示画面の分割比を上限分割比とし、
前記領域設定部は、前記両分割領域を、前記分割比算出部が求めた前記上限分割比に応じた大きさに設定し、
前記表示制御部は、前記上限分割比に応じた大きさとした前記両分割領域を前記表示部に表示させる請求項２に記載の情報端末装置。
【請求項８】
ネットワークを介して配信される複数の画像を表示可能な情報端末装置と、アプリケーションサーバーとが通信可能な情報処理システムであって、
前記情報端末装置は、前記複数の画像の配信元へ当該複数の画像を要求する要求部と、
表示部と、
前記表示部に表示画面を複数に分割した分割領域ごとに画像を表示させる表示制御部と、
前記表示部の表示画面に設けられたタッチパネルと、
前記表示制御部が前記表示画面を３つ以上に分割した表示を前記表示部に行わせているときに、３つ以上の分割領域のうちの隣り合う２つの分割領域をそれぞれ１本の指ずつで触れた状態でその両指を広げるように動かすピンチアウト操作を、前記タッチパネルからの検知信号に基づいて検出する操作検出部と、
前記操作検出部にて前記ピンチアウト操作が検出されると、前記表示画面において、当該ピンチアウト操作により両方の指が移動する方向に前記２つの分割領域を並列させ、前記表示画面を二分して当該両分割領域のみを配置する設定を行う領域設定部と、
前記領域設定部により前記表示画面を二分した両分割領域のみを設定する通知を前記アプリケーションサーバーに出力する通知部と、
前記アプリケーションサーバーの送信部によって送信される画面情報を取得する取得部と、を備え、
前記アプリケーションサーバーは、前記通知部からの通知に従って、前記情報端末装置における前記表示画面での当該ピンチアウト操作がされた各分割領域の画面情報を送信する前記送信部を備え、
前記表示制御部は、前記領域設定部により設定された前記両分割領域として、当該ピンチアウト操作がされた前記各分割領域の画像を拡大して表示させ、前記両分割領域以外の他の分割領域の画像を表示させない情報処理システム。
【請求項９】
コンピューターを、
表示部に表示画面を複数に分割した分割領域ごとに画像を表示させる表示制御部と、
前記表示制御部が前記表示画面を３つ以上に分割した表示を前記表示部に行わせているときに、３つ以上の分割領域のうちの隣り合う２つの分割領域をそれぞれ１本の指ずつで触れた状態でその両指を広げるように動かすピンチアウト操作を、前記タッチパネルからの検知信号に基づいて検出する操作検出部と、
前記操作検出部にて前記ピンチアウト操作が検出されると、前記表示画面において、当該ピンチアウト操作により両方の指が移動する方向に前記２つの分割領域を並列させ、前記表示画面を二分して当該両分割領域のみを配置する設定を行う領域設定部として機能させ、
更に、前記表示制御部を、前記領域設定部により設定された前記両分割領域として、当該ピンチアウト操作がされた前記各分割領域の画像を拡大して表示させ、前記両分割領域以外の他の分割領域の画像を表示させないように機能させる表示制御プログラム。
【発明の詳細な説明】
【技術分野】
【０００１】
本発明は、情報端末装置、情報処理システム及び表示制御プログラムに関し、特に、表示画面における３つ以上の分割領域のうちの隣り合う分割領域の画像のみを一回の操作で拡大して表示させるための技術に関する。
【背景技術】
【０００２】
スマートフォンなどの携帯端末装置（表示装置の一例）は、表示部の表示画面に設けられたタッチパネルを備え、表示部の表示画面に対するユーザー操作（タッチ操作など）を、タッチパネルを通じて受け付けて、このユーザー操作に対して応答動作する。
【０００３】
特許文献１に記載された表示装置は、４つの画像を２行２列の配置で集約させた４in１画像を表示画面に表示し、４in１画像の行方向の隣り合う２つの画像の表示領域を２本の指でそれぞれ触れた状態でその両指を広げるように動かすピンチアウト操作をユーザーが行うと、当該ピンチアウト操作がされた２つの画像については集約を解除して個々の画像として行方向に並べて表示し、残り２つの画像については集約されたままの２in１画像として、同じく行方向に並べて表示する。
【先行技術文献】
【特許文献】
【０００４】
【特許文献１】特開２０１７−８３９４４号公報
【発明の概要】
【発明が解決しようとする課題】
【０００５】
しかしながら、特許文献１の表示装置では、例えば４in１画像に対して１回のピンチアウト操作が行われると、当該ピンチアウト操作にかかる２つの画像についてはその集約が解除されて表示され、他の画像については２in１画像のままで表示される。このため、特許文献１の表示装置では、例えば４in１画像に対して１回のピンチアウト操作が行われたとしても、当該ピンチアウト操作にかかる２つの画像のみを表示画面に表示させるとともに、その２つの画像を拡大させて表示させるようなことはできない。また、特許文献１の表示装置は、表示画面に表示される集約画像の集約がピンチアウト操作により解除されるものであり、表示画面の分割数をピンチアウト操作で変更するようなことはできない。
【０００６】
本発明は、上記の事情に鑑みなされたものであり、表示画面における３つ以上の分割領域のうちの隣り合う分割領域の画像のみを一回の操作で拡大して表示可能にすることを目的とする。
【課題を解決するための手段】
【０００７】
本発明の一局面にかかる情報端末装置は、表示部と、前記表示部に表示画面を複数に分割した分割領域ごとに画像を表示させる表示制御部と、前記表示部の表示画面に設けられたタッチパネルと、前記表示制御部が前記表示画面を３つ以上に分割した表示を前記表示部に行わせているときに、３つ以上の分割領域のうちの隣り合う２つの分割領域をそれぞれ１本の指ずつで触れた状態でその両指を広げるように動かすピンチアウト操作を、前記タッチパネルからの検知信号に基づいて検出する操作検出部と、前記操作検出部にて前記ピンチアウト操作が検出されると、前記表示画面において、当該ピンチアウト操作により両方の指が移動する方向に前記２つの分割領域を並列させ、前記表示画面を二分して当該両分割領域のみを配置する設定を行う領域設定部とを備え、前記表示制御部は、前記領域設定部により設定された前記両分割領域として、当該ピンチアウト操作がされた前記各分割領域の画像を拡大して表示させ、前記両分割領域以外の他の分割領域の画像を表示させないものである。
【０００８】
また、本発明の別の一局面にかかる情報処理システムは、ネットワークを介して配信される複数の画像を表示可能な情報端末装置と、アプリケーションサーバーとが通信可能な情報処理システムであって、前記情報端末装置は、前記複数の画像の配信元へ当該複数の画像を要求する要求部と、表示部と、前記表示部に表示画面を複数に分割した分割領域ごとに画像を表示させる表示制御部と、前記表示部の表示画面に設けられたタッチパネルと、前記表示制御部が前記表示画面を３つ以上に分割した表示を前記表示部に行わせているときに、３つ以上の分割領域のうちの隣り合う２つの分割領域をそれぞれ１本の指ずつで触れた状態でその両指を広げるように動かすピンチアウト操作を、前記タッチパネルからの検知信号に基づいて検出する操作検出部と、前記操作検出部にて前記ピンチアウト操作が検出されると、前記表示画面において、当該ピンチアウト操作により両方の指が移動する方向に前記２つの分割領域を並列させ、前記表示画面を二分して当該両分割領域のみを配置する設定を行う領域設定部と、
前記領域設定部により前記表示画面を二分した両分割領域のみを設定する通知を前記アプリケーションサーバーに出力する通知部と、前記アプリケーションサーバーの送信部によって送信される画面情報を取得する取得部と、を備え、前記アプリケーションサーバーは、前記通知部からの通知に従って、前記情報端末装置における前記表示画面での当該ピンチアウト操作がされた各分割領域の画面情報を送信する前記送信部を備え、前記表示制御部は、前記領域設定部により設定された前記両分割領域として、当該ピンチアウト操作がされた前記各分割領域の画像を拡大して表示させ、前記両分割領域以外の他の分割領域の画像を表示させないものである。
【０００９】
また、本発明の別の一局面にかかる表示制御プログラムは、コンピューターを、表示部に表示画面を複数に分割した分割領域ごとに画像を表示させる表示制御部と、前記表示制御部が前記表示画面を３つ以上に分割した表示を前記表示部に行わせているときに、３つ以上の分割領域のうちの隣り合う２つの分割領域をそれぞれ１本の指ずつで触れた状態でその両指を広げるように動かすピンチアウト操作を、前記タッチパネルからの検知信号に基づいて検出する操作検出部と、前記操作検出部にて前記ピンチアウト操作が検出されると、前記表示画面において、当該ピンチアウト操作により両方の指が移動する方向に前記２つの分割領域を並列させ、前記表示画面を二分して当該両分割領域のみを配置する設定を行う領域設定部として機能させ、更に、前記表示制御部を、前記領域設定部により設定された前記両分割領域として、当該ピンチアウト操作がされた前記各分割領域の画像を拡大して表示させ、前記両分割領域以外の他の分割領域の画像を表示させないように機能させるものである。
【発明の効果】
【００１０】
本発明によれば、表示画面における３つ以上の分割領域のうちの隣り合う分割領域の画像のみを一回の操作で拡大して表示可能にすることができる。
【図面の簡単な説明】
【００１１】
【図１】本発明の一実施形態にかかる情報端末装置及び情報処理システムの構成を示すブロック図である。
【図２】情報処理システムにおける画像表示処理を示すフローチャートである。
【図３】情報端末装置の表示変更処理を示すフローチャートである。
【図４】情報端末装置での分割表示を変更するための処理を示すフローチャートである。
【図５】情報端末装置の表示画面の４つの分割領域に４台の監視カメラの画像がそれぞれ表示されている一例を示す図である。
【図６】（Ａ）は、表示画面の４つの分割領域のうちの隣り合う分割領域に対するピンチアウト操作を示す図、（Ｂ）は、（Ａ）に示すピンチアウト操作した２つの分割領域による２分割表示を示す図である。
【図７】（Ａ）は、図６（Ｂ）に示す２つの分割領域に対するピンチイン操作を示す図、（Ｂ）は、（Ａ）に示すピンチイン操作により元の４分割表示に戻ったことを示す図である。
【図８】（Ａ）は、ピンチアウト操作において一方の指の移動距離が他方の指よりも大きいことを示す図、（Ｂ）は、移動距離が長い方の分割領域が大きく表示されることを示す図である。
【図９】（Ａ）は、図８（Ｂ）に示す一方の分割領域に対するスワイプ操作を示す図、（Ｂ）は、（Ａ）に示すスワイプ操作により両分割領域が入れ替わったことを示す図である。
【図１０】（Ａ）は、図８（Ｂ）に示す隣り合う分割領域に対する復帰操作を示す図、（Ｂ）は、（Ａ）に示す復帰操作により元の４分割表示に戻ったことを示す図である。
【発明を実施するための形態】
【００１２】
以下、本発明の実施形態にかかる情報端末装置及び情報処理システムについて図面を参照して詳細に説明する。
【００１３】
図１は、本発明の情報端末装置及び情報処理システムの構成を示すブロック図である。本実施形態の情報処理システム１００は、配信装置３０の複数の監視カメラ３１〜３４で撮影された各監視画像を、タブレット型コンピューターなどの情報端末装置１０のＷｅｂブラウザで閲覧することが可能な情報処理システムである。
【００１４】
情報処理システム１００は、情報端末装置１０と、配信装置３０と、アプリケーションサーバー４０と、ネットワーク５０とを備える。情報端末装置１０、配信装置３０及びアプリケーションサーバー４０が、ネットワーク５０を介してそれぞれ通信可能に接続されている。
【００１５】
配信装置３０は、複数（本実施形態では４台）の監視カメラ３１〜３４と、情報端末装置１０及びアプリケーションサーバー４０と通信可能なルータ３５と、を備える。ルータ３５は、監視カメラ３１〜３４と接続されている。なお、監視カメラ３１〜３４は、静止画像や動画像（これらをまとめて画像という。）を撮影する装置であり、動画像のことを映像ともいう。また、一つの監視カメラで複数の画像を提供してもよい。
【００１６】
アプリケーションサーバー４０は、ルータ３５に接続される４台の監視カメラ３１〜３４のＩＰアドレスを管理し、情報端末装置１０からこれらの監視カメラ３１〜３４が撮影している各画像に対する閲覧要求がなされた場合、画像をブラウザに表示可能な画面情報を提供するＷＥＢアプリケーションサーバーである。
【００１７】
情報端末装置１０は、例えばタブレット型コンピューターである携帯端末装置であって、表示部１２と、タッチパネル１３と、通信部１４と、記憶部１５と、制御ユニット２０とを備える。これらの構成要素は、互いにバスを通じてデータ又は信号の送受信が可能とされている。情報端末装置１０は、アプリケーションサーバー４０のサービスの提供を受けるためブラウザがインストールされている。なお、情報端末装置１０は、スマートフォンなどの携帯端末装置、デスクトップ型のパーソナル・コンピューターなどであってもよい。
【００１８】
表示部１２は、液晶ディスプレイ（ＬＣＤ：Liquid Crystal Display）や有機ＥＬ（ＯＬＥＤ：Organic Light-Emitting Diode）などから構成される。
【００１９】
タッチパネル１３は、所謂抵抗膜方式や静電容量方式等のタッチパネルである。タッチパネル１３は、表示部１２の表示画面に配置され、表示部１２の表示画面に対する指などの接触をその接触位置と共に検知する。タッチパネル１３は、指などの接触を検知すると、その接触位置の座標を示す検知信号を制御ユニット２０の操作検出部２３などに出力する。従って、タッチパネル１３は、表示部１２の表示画面に対するユーザー操作が入力される操作部としての役割を果たす。
【００２０】
また、情報端末装置１０は、ユーザー操作が入力される操作部として、上記のタッチパネル１３に加えてハードキーを備えてもよい。
【００２１】
通信部１４は、不図示の無線ＬＡＮチップなどの通信モジュールを備える通信インターフェイスである。通信部１４は、配信装置３０とアプリケーションサーバー４０との通信機能を有する。
【００２２】
記憶部１５は、大容量のＳＳＤ（Solid State Drive）、ＨＤＤ（Hard Disk Drive）などからなり、各種のデータやプログラムを記憶している。
【００２３】
制御ユニット２０は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット２０は、上記のＲＯＭ又は記憶部１５に記憶された制御プログラムが上記プロセッサーで実行されることにより、制御部２１、通信制御部２２、操作検出部２３、領域設定部２４、分割比算出部２５、表示制御部２６及びイベント判定部２７として機能する。なお、制御ユニット２０の上記の各構成要素は、前述の制御プログラムに基づく動作によらず、それぞれハード回路により構成されてもよい。
【００２４】
制御部２１は、情報端末装置１０の全体的な動作制御を司る。また、制御部２１は、表示部１２、タッチパネル１３、通信部１４、および記憶部１５などと接続されており、上記各構成要素の動作制御や、各構成要素との間での信号またはデータの送受信を行う。制御部２１は、例えば、表示部１２の表示動作を制御するために表示制御部２６を制御する。通信制御部２２は、通信部１４の通信動作を制御する機能を有する。
【００２５】
表示制御部２６は、後述する図５に示すように、表示部１２の表示画面を、例えば４画面表示とするように制御する。具体的には、表示制御部２６は、表示部１２の表示画面を左上、右上、左下及び右下の４つに等分割した４つの分割領域Ｄ１〜Ｄ４に、４台の監視カメラ３１〜３４で撮影された各監視画像がそれぞれ表示されるように制御する。また、表示制御部２６は、図５に示すように各分割領域Ｄ１〜Ｄ４の左上隅部に「Ｃ１」〜「Ｃ４」と表示させ、それぞれ監視カメラ３１〜３４が撮影した画像であることを示している。図５では、監視カメラ３１〜３４の各監視画像を円形、三角形、五角形、星形で示している。本実施形態では、分割領域Ｄ１の画像に含まれる対象者（図５に示す円形）が監視すべき対象者とし、他の分割領域Ｄ２〜Ｄ４にそれぞれ示す三角形、五角形、星形は、監視すべき対象者ではないとする。
【００２６】
操作検出部２３は、タッチパネル１３から出力される検知信号に基づき、ユーザーにより入力されたユーザー操作を特定する。そして、制御部２１は、特定したユーザー操作に応じた制御を行う。このユーザー操作には、例えば、タッチ操作、ピンチアウト操作、ピンチイン操作、スワイプ操作、復帰操作などがある。
【００２７】
＜タッチ操作＞
ユーザーがタッチパネル１３に指を接触させて直ちに離すと、タッチパネル１３は、接触を検知した位置を示す検知信号を操作検出部２３に出力する。操作検出部２３は、該検知信号を入力すると、この検知信号に基づきユーザー操作がタッチ操作であることを検出する。このタッチ操作は、例えば表示部１２の表示画面上のソフトキーに対して行われる。
【００２８】
＜ピンチアウト操作＞
ユーザーがタッチパネル１３に２本の指を接触させた状態でその両指を広げるように移動させると、タッチパネル１３は、最初に接触を検出した２つの初期位置をそれぞれ検出して当該各初期位置から最後に接触を検出した各最終位置までの各移動位置を示す２つの検知信号を操作検出部２３に出力する。操作検出部２３は、入力された当該２つの検知信号に基づいて、ユーザー操作がピンチアウト操作であること、及びピンチアウト操作の操作方向及び最終位置を検出する。本実施形態では、ピンチアウト操作は、例えば、表示部１２の表示画面上の４つの分割領域Ｄ１〜Ｄ４のうち、当該ピンチアウト操作がされた隣り合う２つの分割領域Ｄ１、Ｄ２のみを表示画面に表示させるとともに、その２つの分割領域Ｄ１、Ｄ２の画像を拡大させて表示させるための操作である。具体的には、図６に示すように、表示部１２の表示画面における分割領域Ｄ１内の位置（例えば初期位置Ｐ１１）と分割領域Ｄ２内の位置（例えば初期位置Ｐ２１）とにユーザーの親指と人差し指とをそれぞれ接触させた状態でその両指を広げるように各最終位置Ｐ１２、Ｐ２２に移動させることで、タッチパネル１３は、各初期位置Ｐ１１、Ｐ２１をそれぞれ検出して当該各初期位置Ｐ１１、Ｐ２１から各最終位置Ｐ１２、Ｐ２２までの各移動位置を示す２つの検知信号を操作検出部２３に出力する。操作検出部２３は、入力された当該２つの検知信号に基づいて、ユーザー操作がピンチアウト操作であること、及びピンチアウト操作の操作方向及び最終位置Ｐ１２、Ｐ２２を検出する。なお、本実施形態では、ピンチアウト操作は、図５に示す分割領域Ｄ１、Ｄ２のアスペクト比を維持しない拡大操作としているが（分割領域Ｄ３、Ｄ４を拡大させる場合についても同様）、アスペクト比を維持する拡大操作としてもよい。
【００２９】
＜ピンチイン操作＞
ユーザーがタッチパネル１３に２本の指を接触させた状態でその両指を狭めるように移動させると、タッチパネル１３は、最初に接触を検出した２つの初期位置をそれぞれ検出して当該各初期位置から最後に接触を検出した各最終位置までの各移動位置を示す２つの検知信号を操作検出部２３に出力する。操作検出部２３は、入力された当該２つの検知信号に基づいて、ユーザー操作がピンチイン操作であること、及びピンチイン操作の操作方向及び最終位置を検出する。本実施形態では、ピンチイン操作は、例えば、前述のピンチアウト操作がされたことにより、隣り合う２つの分割領域Ｄ１、Ｄ２のみが表示部１２の表示画面に表示されている場合に、元の４つの分割領域Ｄ１〜Ｄ４の画像に戻すための操作である。具体的には、図７に示すように、表示部１２の表示画面における分割領域Ｄ１内の位置（例えば初期位置Ｐ３１）と分割領域Ｄ２内の位置（例えば初期位置Ｐ４１）とにユーザーの親指と人差し指とをそれぞれ接触させた状態でその両指を狭めるように各最終位置Ｐ３２、Ｐ４２に移動させることで、タッチパネル１３は、各初期位置Ｐ３１、Ｐ４１をそれぞれ検出して当該各初期位置Ｐ３１、Ｐ４１から各最終位置Ｐ３２、Ｐ４２までの各移動位置を示す２つの検知信号を操作検出部２３に出力する。操作検出部２３は、入力された当該２つの検知信号に基づいて、ユーザー操作がピンチイン操作であること、及びピンチイン操作の操作方向及び最終位置Ｐ３２、Ｐ４２を検出する。なお、本実施形態では、ピンチイン操作は、図７に示す分割領域Ｄ１、Ｄ２のアスペクト比を維持することなく、図５に示す元の４つの分割領域Ｄ１〜Ｄ４に戻す操作としているが、アスペクト比を維持して元の４つの分割領域Ｄ１〜Ｄ４に戻す操作としてもよい。
【００３０】
＜スワイプ操作＞
ユーザーがタッチパネル１３に指を接触させた状態で直ちに指を移動させると、タッチパネル１３は、最初に接触を検出した初期位置から最後に接触を検出した最終位置までの各移動位置を示す検知信号を操作検出部２３に出力する。操作検出部２３は、該検知信号を入力すると、この検知信号に基づきユーザー操作がスワイプ操作であること、及びスワイプ操作の操作方向を検出する。本実施形態では、このスワイプ操作は、後述する図９に示すように、例えば表示部１２の表示画面の２つの分割領域Ｄ１、Ｄ２を入れ替えるときに一方の分割領域Ｄ２（分割領域Ｄ１であってもよい）に対して行われる。具体的には、図９（Ａ）に示すように、表示部１２の表示画面における例えば分割領域Ｄ２内の位置（例えば初期位置Ｐ９１）にユーザーの人差し指を接触させた状態で直ちに指を分割領域Ｄ１に向けて移動させることで、タッチパネル１３は、初期位置Ｐ９１を検出して当該初期位置Ｐ９１から最終位置Ｐ９２までの各移動位置を示す検知信号を操作検出部２３に出力する。操作検出部２３は、入力された当該検知信号に基づいて、ユーザー操作がスワイプ操作であること、及びスワイプ操作の操作方向及び最終位置Ｐ９２を検出する。
【００３１】
＜復帰操作＞
ユーザーがタッチパネル１３に２本の指を接触させた状態で、当該各指を、前記ピンチアウト操作による指の移動方向に対して直交する方向に平行移動させる復帰操作がなされると、タッチパネル１３は、最初に接触を検出した２つの初期位置をそれぞれ検出して当該各初期位置から最後に接触を検出した各最終位置までの各移動位置を示す２つの検知信号を操作検出部２３に出力する。操作検出部２３は、入力された当該２つの検知信号に基づいて、ユーザー操作が復帰操作であること、及び復帰操作の操作方向及び最終位置を検出する。本実施形態では、復帰操作は、例えば、図８（Ｂ）に示すように隣り合う２つの分割領域Ｄ１、Ｄ２のみが、各指の移動量の比率に応じた表示画面の分割比で表示部１２の表示画面に表示されている場合において、図１０（Ａ）に示す一回の操作（復帰操作）で、元の４つの分割領域Ｄ１〜Ｄ４の画像に戻すための操作である。
【００３２】
領域設定部２４は、図６（Ａ）に示すように分割領域Ｄ１内の位置（例えば初期位置Ｐ１１）と分割領域Ｄ２内の位置（例えば初期位置Ｐ２１）とにユーザーの親指と人差し指とをそれぞれ接触させた状態でその両指を広げるように動かすピンチアウト操作を、操作検出部２３が検出すると、図６（Ｂ）に示すように、当該ピンチアウト操作の方向に２つの分割領域Ｄ１、Ｄ２が並設されるように表示部１２の表示画面を二分した両分割領域Ｄ１、Ｄ２のみを設定する。
【００３３】
表示制御部２６は、領域設定部２４により設定された図６（Ｂ）に示す両分割領域Ｄ１、Ｄ２に画像を拡大して表示させ、両分割領域Ｄ１、Ｄ２以外の他の分割領域Ｄ３、Ｄ４（図６（Ａ）参照）の画像を表示させない。上記のピンチアウト操作を行うことで、４つの分割領域Ｄ１〜Ｄ４のうちのピンチアウト操作がされた隣り合う２つの分割領域の画像のみを、一回の操作で拡大して表示させることができる。
【００３４】
本実施形態では、表示制御部２６は、図６（Ｂ）に示すように、表示部１２の表示画面における隣り合う２つの分割領域Ｄ１、Ｄ２を、図６（Ａ）に示す拡大前の２つの分割領域Ｄ１、Ｄ２の縦横比とは異なる縦横比（つまり、アスペクト比を維持しない）で拡大して表示させるが、アスペクト比を維持するように拡大して表示させてもよい。
【００３５】
ところで、領域設定部２４は、図７（Ａ）に示すように分割領域Ｄ１内の位置（例えば初期位置Ｐ３１）と分割領域Ｄ２内の位置（例えば初期位置Ｐ４１）とにユーザーの親指と人差し指とをそれぞれ接触させた状態でその両指を狭めるように動かすピンチイン操作を、操作検出部２３が検出すると、図７（Ｂ）に示すように、前記ピンチアウト操作前の４つの分割領域Ｄ１〜Ｄ４を設定する。表示制御部２６は、領域設定部２４により設定された図７（Ｂ）に示す元の４つの分割領域Ｄ１〜Ｄ４に、当該分割領域Ｄ１〜Ｄ４の画像をそれぞれ表示させる。上記のピンチイン操作を行うことで、ピンチアウト操作前の４つの分割領域Ｄ１〜Ｄ４による表示、すなわち元の分割表示に戻すことができる。
【００３６】
分割比算出部２５は、操作検出部２３にて前記ピンチアウト操作が検出されると、当該ピンチアウト操作の際の各指の移動量の比率から表示部１２の表示画面の分割比を求める。例えば、記憶部１５には、各指の移動量の比率と表示画面の分割比との関係を示す算出テーブルが予め記憶されており、分割比算出部２５は、操作検出部２３にて検出された各指の移動量の比率と、前記算出テーブルとにより、表示画面の分割比を求める。具体的には、図８（Ａ）では、親指の初期位置Ｐ５１から最終位置Ｐ５２までの第１移動量（例えば、１５ｍｍ）と、人差し指の初期位置Ｐ６１から最終位置Ｐ６２までの第２移動量（例えば、５ｍｍ）とが操作検出部２３によって検出される。分割比算出部２５は、操作検出部２３によって検出された第１移動量（例えば、１５ｍｍ）と第２移動量（例えば、５ｍｍ）の比率が３：１であることを算出し、この算出した移動量の比率が属する算出テーブルの入力値を特定し、算出テーブルでの特定した入力値に対応する表示画面の分割比（ここでは、３：１）を求める。領域設定部２４は、図８（Ｂ）に示すように、両分割領域Ｄ１、Ｄ２を、分割比算出部２５が求めた分割比に応じた大きさに設定する。表示制御部２６は、図８（Ｂ）に示すように、前記分割比に応じた大きさの両分割領域Ｄ１、Ｄ２に画像を拡大して表示させる。これにより、図８（Ｂ）に示すように、ユーザーのピンチアウト操作の際の各指の移動量の比率を反映した大きさで両分割領域Ｄ１、Ｄ２を設定でき、１回のピンチアウト操作で両分割領域Ｄ１、Ｄ２の大きさを指定することができる。
【００３７】
表示制御部２６は、図９（Ａ）に示すように、前記分割比に応じた大きさの両分割領域Ｄ１、Ｄ２に画像を拡大して表示させている場合に、操作検出部２３にて当該両分割領域Ｄ１、Ｄ２のうちの一方の分割領域（図９（Ａ）では分割領域Ｄ２）に１本の指で触れた状態で他方の分割領域（図９（Ａ）では分割領域Ｄ１）に向けて当該指を動かすスワイプ操作が検出されると、図９（Ｂ）に示すように、当該両分割領域Ｄ１、Ｄ２の画像を入れ替えて表示させる。このスワイプ操作により、両分割領域Ｄ１、Ｄ２の画像を簡単に入れ替えて表示させることができる。
【００３８】
また、分割比算出部２５は、前記ピンチアウト操作を検出すると、当該ピンチアウト操作の際の各指の移動量の比率が上限比率（例えば４：１）を上回るときには、前記表示画面の分割比を上限分割比（例えば４：１）とする。なお、上限比率は、４：１以外の値であってもよい。領域設定部２４は、両分割領域Ｄ１、Ｄ２を、分割比算出部２５が求めた上限分割比（例えば４：１）に応じた大きさに設定する。表示制御部２６は、上限分割比に応じた大きさの両分割領域Ｄ１、Ｄ２に画像を拡大して表示させる。これにより、図８（Ａ）に示すピンチアウト操作の際の各指の移動量の比率（例えば、１０：１など）が上限比率（例えば４：１）を上回るような場合には、両分割領域Ｄ１、Ｄ２を上限分割比（例えば４：１）に応じた大きさに設定するので、一方の分割領域の画像が極端に小さく表示されることを防止することができる。
【００３９】
領域設定部２４は、図８（Ｂ）に示すように、前記分割比に応じた大きさの両分割領域Ｄ１、Ｄ２に画像を拡大して表示させている場合に、操作検出部２３にてピンチイン操作が検出されると、図６（Ｂ）に示すように両分割領域Ｄ１、Ｄ２をなすそれぞれの領域同士が１：１の分割比となる大きさに設定する。表示制御部２６は、図６（Ｂ）に示すように、前記１：１の分割比の大きさの両分割領域Ｄ１、Ｄ２に画像をそれぞれ表示させる。これにより、図８（Ｂ）に示すように分割比に応じた大きさの両分割領域Ｄ１、Ｄ２に画像が表示されている場合に、ピンチイン操作をすることで、１：１の分割比の大きさの両分割領域Ｄ１、Ｄ２に戻すことができる。
【００４０】
領域設定部２４は、図１０（Ａ）に示すように、前記分割比に応じた大きさの両分割領域Ｄ１、Ｄ２に画像を拡大して表示させている場合に、当該両分割領域Ｄ１、Ｄ２を２本の指でそれぞれ触れた状態でその両指を広げる方向に対して直交する方向に平行移動させる復帰操作が操作検出部２３にて検出されると、図１０（Ｂ）に示すように、当該両分割領域Ｄ１、Ｄ２が表示される前の４つの分割領域Ｄ１〜Ｄ４（つまり、元の４分割画面）の設定に戻す。表示制御部２６は、図１０（Ｂ）に示すように、領域設定部２４により設定された４つの分割領域Ｄ１〜Ｄ４ごとに、対応する画像を表示させる。これにより、図８（Ｂ）に示すように、隣り合う２つの分割領域Ｄ１、Ｄ２のみが、各指の移動量の比率に応じた表示画面の分割比で表示部１２の表示画面に表示されている場合に、図１０（Ａ）に示す一回の操作（復帰操作）で、元の４つの分割領域Ｄ１〜Ｄ４の画像に一気に戻すことができる。
【００４１】
イベント判定部２７は、図６（Ｂ）に示す表示画面における隣り合う２つの分割領域Ｄ１、Ｄ２の画像について、予め定められた特定のイベントが発生しているか否かを判定する。この特定のイベントは、例えば、監視すべき対象者（図６（Ｂ）に示す円形）の出現のことである。具体的には、本実施形態では、イベント判定部２７は、図６（Ａ）に示すピンチアウト操作により表示された図６（Ｂ）に示す表示画面における隣り合う２つの分割領域Ｄ１、Ｄ２に表示される画像について、画像認識処理（例えば、既知の顔認識処理、人物認識処理など）を実行することにより、当該画像中に対象者又は対象物が含まれるか否かを判断する。
【００４２】
本実施形態では、図５に示す表示画面における４つの分割領域Ｄ１〜Ｄ４のうち、例えば分割領域Ｄ１内の任意の位置をユーザーが長押し操作することで、分割領域Ｄ１の画像に含まれる対象者（例えば円形で図示）を監視すべき対象者として予め特定している。具体的には、操作検出部２３にて上記長押し操作が検出されると、イベント判定部２７は、操作検出部２３にて前記長押し操作が検出された分割領域Ｄ１の画像を画像認識し、当該分割領域Ｄ１の画像に含まれる対象者（例えば円形で図示）を監視すべき対象者として特定する。例えば、イベント判定部２７は、既知の顔認証処理を実行することにより、分割領域Ｄ１に表示される画像情報に基づいて当該対象者の顔認証情報（例えば、対象者の画像の中から顔領域が決定され、この顔領域における目・鼻・口などの顔の特徴点を示す情報等）を抽出する。そして、イベント判定部２７は、前記抽出した当該対象者の顔認証情報を、照合元登録データとして記憶部１５に記憶させる。なお、操作検出部２３にて再度の長押し操作が検出されると、イベント判定部２７は、記憶部１５に記憶された照合元登録データとしての対象者の顔認証情報を消去し、監視すべき対象者の特定を解除する。
【００４３】
次に、イベント判定部２７は、図６（Ｂ）に示す表示画面における隣り合う２つの分割領域Ｄ１、Ｄ２に表示される画像中に、監視すべき対象者（例えば円形で図示）が含まれるか否かを、分割領域Ｄ１、Ｄ２ごとに判断する。具体的には、イベント判定部２７は、既知の顔認証処理を実行することにより、分割領域Ｄ１、Ｄ２ごとの画像情報に基づいて抽出した対象者の顔認証情報が、記憶部１５の照合元登録データと一致するかどうかを判断し、一致した場合には分割領域（ここでは分割領域Ｄ１）の画像中に監視すべき対象者（例えば円形で図示）が含まれると判断する。
【００４４】
領域設定部２４は、イベント判定部２７が特定のイベントが発生していると判定した場合に、ピンチイン操作を操作検出部２３にて検出されたとしても、表示画面に表示される分割領域の表示数を変化させない。例えば、図７に示す分割領域Ｄ１の画像に特定のイベントが発生していると判定されている場合には、図７（Ａ）に示すピンチイン操作があったとしても、ピンチイン操作が無効とされ、図７（Ｂ）に示す４分割表示に戻らずに、図７（Ａ）に示すように表示画面のままであり、分割領域の表示数が変化しない。このようにすることで、特定のイベントを含む画像がピンチイン操作によって小さく表示されることを抑制することができる。つまり、監視すべき対象者を含む画像が、誤って見難くされることを防止できる。
【００４５】
本実施形態では、監視対象は、図５に示すように監視すべき対象者（例えば円形で図示）としているが、例えば予め定められた対象物（例えば消火器）を監視対象としてもよい。この場合には、イベント判定部２７は、例えば既知のパターンマッチング画像処理を実行することにより、分割領域Ｄ１〜Ｄ４の画像中に当該対象物（例えば消火器）を含むか否かを判断することができる。イベント判定部２７が例えば図７（Ａ）に示す分割領域Ｄ１の画像中に当該対象物（例えば消火器）を含むと判断し、且つ、図７（Ａ）に示すピンチイン操作があったとしても、ピンチイン操作が無効とされ、図７（Ｂ）に示す４分割表示に戻らずに、図７（Ａ）に示すように表示画面のままであり、分割領域の表示数が変化しない。このようにすることで、監視すべき当該対象物を含む画像が、誤って見難くされることを防止できる。
【００４６】
次に、本実施形態の情報処理システム１００における画像表示処理、すなわち、情報端末装置１０において各監視画像をＷｅｂブラウザで閲覧するための処理を、図２に示すフローチャートなどを参照して説明する。
【００４７】
まず、情報端末装置１０の制御部２１は、ユーザーによる起動操作に基づいて、ブラウザを起動し（Ｓ１０１）、ブラウザにアプリケーションサーバー４０のＵＲＬ（Uniform Resource Locator）を指定し、この指定したＵＲＬに対してアクセス要求を行う（Ｓ１０２）。アプリケーションサーバー４０は、アクセス要求を受け付け（Ｓ１０３）、ログイン画面を表示するための画面情報を送信する（Ｓ１０４）。
【００４８】
情報端末装置１０の通信部１４は、ログイン画面を表示するための画面情報を受信する（Ｓ１０５）。情報端末装置１０の制御部２１は、ＩＤ情報及びパスワードからなる認証情報を送信する（Ｓ１０６）。アプリケーションサーバー４０は、認証情報を受信し（Ｓ１０７）、この受信した認証情報を用いて認証処理を行い（Ｓ１０８）、メニュー画面（操作メニュー）を表示するための画面情報を送信する（Ｓ１０９）。
【００４９】
情報端末装置１０の通信部１４は、メニュー画面を表示するための画面情報を受信する（Ｓ１１０）。そして、情報端末装置１０の表示制御部２６は、表示部１２にメニュー画面を表示させる。このメニュー画面には、配信装置３０からの監視画像の表示を選択する操作項目などが表示されている。
【００５０】
情報端末装置１０の制御部２１は、表示部１２のメニュー画面において、配信装置３０からの監視画像の表示を選択する操作項目が選択されると、アプリケーションサーバー４０に対して、４台の監視カメラ３１〜３４で撮影された各監視画像を表示するための表示要求を行う（Ｓ１１１）。
【００５１】
アプリケーションサーバー４０は、表示要求を受け付け（Ｓ１１２）、フレームを特定する（Ｓ１１３）。初期設定（デフォルト）では、複数画面表示と表示する設定となっているため、複数画面表示のフレームが特定される。より具体的には、複数の画像を表示するための複数のフレーム情報と、それぞれのフレーム領域内に表示する監視カメラのＩＰアドレスとが対応づけられた分割画面（分割領域）を表示する画面情報を特定する。なお、本実施の形態におけるフレームは、表示部１２の表示画面を左上、右上、左下及び右下の４つに等分割した４つの分割領域を持っているものである（これを４画面フレームと称する）。これらは、ＨＴＭＬ形式等の構造化言語により表現されるものである。
【００５２】
アプリケーションサーバー４０は、４画面フレームを表示するための画面情報を送信する（Ｓ１１４）。情報端末装置１０の通信部１４は、４画面フレームを表示するための画面情報を受信する（Ｓ１１５）。
【００５３】
情報端末装置１０の制御部２１は、４台の監視カメラ３１〜３４に対して画像を要求する（Ｓ１１６）。具体的には、４画面フレームを表示するための画面情報に含まれる各フレームに対応する４台の監視カメラ３１〜３４のＩＰアドレスを用いて、４台の監視カメラ３１〜３４に対してそれぞれ画像の配信を要求する。
【００５４】
配信装置３０は、４台の監視カメラ３１〜３４が撮影した監視画像の配信要求を受け付ける（Ｓ１１７）。配信装置３０は、４台の監視カメラ３１〜３４による各監視画像を情報端末装置１０に配信する（Ｓ１１８）。情報端末装置１０の通信部１４は、４台の監視カメラ３１〜３４からの各監視画像を受信する（Ｓ１１９）。
【００５５】
情報端末装置１０の表示制御部２６は、４台の監視カメラ３１〜３４から受信した監視画像をそれぞれ対応するフレームに当てはめたブラウザ上の画像を表示画面に表示する（Ｓ１２０）。すなわち、表示部１２には、図５に示すように、４台の監視カメラ３１〜３４から受信した各監視画像を表示する４分割画面が表示される。
【００５６】
情報端末装置１０の操作検出部２３は、表示画面の変更操作（ピンチアウト操作、ピンチイン操作、スワイプ操作、復帰操作など）がされたか否かを判定する（Ｓ１２１）。制御部２１は、変更操作がされた場合（Ｓ１２１「Ｙｅｓ」）、変更操作に伴う表示変更処理を行う（Ｓ１２２）。
【００５７】
次に、本実施形態の情報処理システム１００における表示変更処理、すなわち、表示画面の変更操作に応じた表示画面での各監視画像を情報端末装置１０においてＷｅｂブラウザで閲覧するための処理を、図３、図４に示すフローチャートなどを参照して説明する。
【００５８】
図３に示すように、情報端末装置１０の操作検出部２３は、ユーザー操作がピンチアウト操作であるか否かを判定する（Ｓ１５１）。操作検出部２３がピンチアウト操作を検出した場合（Ｓ１５１「Ｙｅｓ」）には、分割比算出部２５は、操作検出部２３にて検出された各指の移動量の比率と、前記算出テーブルとにより、表示画面の分割比を求める（Ｓ１５２）。領域設定部２４は、分割比算出部２５が求めた分割比に応じた大きさに両分割領域Ｄ１、Ｄ２を設定する（Ｓ１５３）。
【００５９】
Ｓ１５１において、操作検出部２３は、ピンチアウト操作が検出されなかった場合（Ｓ１５１「Ｎｏ」）には、ユーザー操作がピンチイン操作であるか否かを判定する（Ｓ１６１）。操作検出部２３がピンチイン操作を検出した場合（Ｓ１６１「Ｙｅｓ」）には、イベント判定部２７は、図６（Ｂ）に示す表示画面における隣り合う２つの分割領域Ｄ１、Ｄ２の画像について、予め定められた特定のイベントが発生しているか否かを判定する（Ｓ１６２）。特定のイベントが発生していると判定した場合（Ｓ１６２「Ｙｅｓ」）には、表示制御部２６は、図７（Ａ）に示す表示画面に、特定のイベントが有ることを報知する報知表示（例えば、「イベント発生中」を例えば分割領域Ｄ１に表示）を表示させ（Ｓ１６３）、本処理を終了する。また、特定のイベントが発生していないと判定した場合（Ｓ１６２「Ｎｏ」）には、図７（Ｂ）に示すように、領域設定部２４は、ピンチアウト操作前の４つの分割領域Ｄ１〜Ｄ４を設定する（Ｓ１６４）。
【００６０】
Ｓ１６１において、操作検出部２３は、ピンチイン操作が検出されなかった場合（Ｓ１６１「Ｎｏ」）には、ユーザー操作が復帰操作であるか否かを判定する（Ｓ１７１）。操作検出部２３が復帰操作を検出した場合（Ｓ１７１「Ｙｅｓ」）には、領域設定部２４は、図１０（Ｂ）に示すように、当該両分割領域Ｄ１、Ｄ２が表示される前の４つの分割領域Ｄ１〜Ｄ４（つまり、元の４分割画面）の設定に戻す（Ｓ１７２）。
【００６１】
Ｓ１７１において、操作検出部２３は、復帰操作が検出されなかった場合（Ｓ１７１「Ｎｏ」）には、ユーザー操作がスワイプ操作であるか否かを判定する（Ｓ１８１）。操作検出部２３がスワイプ操作を検出した場合（Ｓ１８１「Ｙｅｓ」）には、表示制御部２６は、図９（Ｂ）に示すように、当該両分割領域Ｄ１、Ｄ２の画像を入れ替えて表示させ（Ｓ１８２）、本処理を終了する。一方、操作検出部２３は、スワイプ操作が検出されなかった場合（Ｓ１８１「Ｎｏ」）には、領域設定部２４は、その他の操作に応じた領域設定を行う（Ｓ１８３）。
【００６２】
図４に示すように、情報端末装置１０の制御部２１は、図３に示すＳ１５３、Ｓ１６４、Ｓ１７２、Ｓ１８３の後、表示画面の変更操作通知（ピンチアウト操作通知、ピンチイン操作通知、復帰操作通知、その他の操作通知）をアプリケーションサーバー４０に行う（Ｓ２０１）。
【００６３】
具体的には、情報端末装置１０の制御部２１は、ユーザーによるタッチパネル１３のピンチアウト操作、ピンチイン操作、復帰操作に応じた変更後のレイアウトを示すピンチアウト操作通知、ピンチイン操作通知、復帰操作通知がアプリケーションサーバー４０に出力される。なお、制御部２１は、スワイプ操作の場合には、レイアウト変更を行わないため、スワイプ操作通知をアプリケーションサーバー４０に出力しない。
【００６４】
アプリケーションサーバー４０は、変更操作通知を受信し（Ｓ２０２）、ピンチアウト操作、ピンチイン操作、復帰操作に応じた変更後画面フレームを表示するための画面情報を送信する（Ｓ２０３）。情報端末装置１０の通信部１４は、変更操作された変更後画面フレームを表示するための画面情報を受信する（Ｓ２０４）。
【００６５】
情報端末装置１０の制御部２１は、配信装置３０に対して画像を要求する。具体的には、変更後の１画面フレームを表示するための画面情報に含まれる各フレームに対応する４台の監視カメラ３１〜３４のＩＰアドレスを用いて、４台の監視カメラ３１〜３４に対して画像の配信を要求する（Ｓ２０５）。
【００６６】
４台の監視カメラ３１〜３４は、画像の配信要求を受け付け（Ｓ２０６）、画像を配信する（Ｓ２０７）。情報端末装置１０の通信部１４は、４台の監視カメラ３１〜３４のうち必要な監視カメラからの画像を受信する（Ｓ２０８）。例えば、ピンチアウト操作により、図６（Ｂ）に示す２分割表示を行う場合には、２台の監視カメラ３１、３２のからの各画像を受信する。また、ピンチイン操作により、図７（Ｂ）に示す４分割表示を行う場合には、４台の監視カメラ３１〜３４のからの各画像を受信する。また、復帰操作により、図１０（Ｂ）に示す４分割表示に一気に戻す場合には、４台の監視カメラ３１〜３４からの各画像を受信する。また、スワイプ操作により、図９（Ｂ）に示す両分割領域Ｄ１、Ｄ２の画像を入れ替えて表示させる場合には、２台の監視カメラ３１、３２のからの各画像を受信することなく、表示制御部２６が図９（Ｂ）に示す両分割領域Ｄ１、Ｄ２の画像を入れ替えて表示させる。なお、情報端末装置１０が、２台の監視カメラ３１、３２のからの各画像を受信するようにしてもよい。
【００６７】
情報端末装置１０の表示制御部２６は、受信した画像を変更後画面フレームに当てはめ表示させる（Ｓ２０９）。
【００６８】
図２に戻って、表示変更処理（Ｓ１２２）の後、情報端末装置１０の制御部２１は、監視カメラの閲覧の表示終了を受けたか否かを判定する（Ｓ１２３）。制御部２１は、表示終了ではないと判定した場合（Ｓ１２３「Ｎｏ」）には、Ｓ１２１に戻り、表示終了と判定した場合（Ｓ１２３「Ｙｅｓ」）、本処理を終了する。
【００６９】
このように本実施形態では、領域設定部２４は、操作検出部２３が図６（Ａ）に示すピンチアウト操作を検出すると、図６（Ｂ）に示すように、当該ピンチアウト操作の方向に２つの分割領域Ｄ１、Ｄ２が並設されるように表示部１２の表示画面を二分した両分割領域Ｄ１、Ｄ２のみを設定する。表示制御部２６は、領域設定部２４により設定された図６（Ｂ）に示す両分割領域Ｄ１、Ｄ２に画像を拡大して表示させ、両分割領域Ｄ１、Ｄ２以外の他の分割領域Ｄ３、Ｄ４（図６（Ａ）参照）の画像を表示させない。これにより、上記のピンチアウト操作を行うことで、４つの分割領域Ｄ１〜Ｄ４のうちのピンチアウト操作がされた隣り合う２つの分割領域の画像のみを、一回の操作で拡大して表示させることができる。
【００７０】
なお、上記特定のイベントとしては、上記監視すべき対象者（例えば円形で図示）の出現以外に、物体又は物品などの対象物の登場・退場、持ち去り、置き去り等を含めるようにしてもよい。例えば、対象物の持ち去り検知は、監視画像から対象物の画像が無くなったことを画像認識することで検知できる。対象物の置き去り検知は、監視画像に対象物の画像が出現したことを画像認識することで検知できる。更に、上記特定のイベントとしては、対象者の入室・退室などの検知、対象者の動き検知状態の変化（例えば、監視カメラで撮影された監視画像に対する顔認識処理などを行うことで対象者を自動追尾して挙動不審な動きを検知するなど）、情報処理システム１００の起動・停止、録画の開始・停止、外部センサーの検出変化（例えば、複合機が対象物である場合にエラーが発生していない状態においてトナーカバーの開状態が検知されるなど）などを含めるようにしてもよい。
【００７１】
上記特定のイベントについては、情報端末装置１０が監視画像についての画像認識処理を実行するのではなく、アプリケーションサーバー４０又は配信装置３０が監視画像についての画像認識処理を実行することによって当該特定のイベントを検知し、画像配信とイベント情報とを関連付けた情報とを配信装置３０又はアプリケーションサーバー４０から情報端末装置１０に配信し、情報端末装置１０側において上記特定のイベントの発生を把握できるようにしてもよい。
【００７２】
上記実施形態及び変形例では、監視カメラ３１〜３４が撮影した監視画像を例に挙げて説明しているが、このような監視画像に限らず、監視目的以外の画像、例えば、スポーツやドキュメンタリーなどのテレビ画像などとしてもよい。
【００７３】
なお、上記実施形態で説明した情報端末装置１０による表示方法は、プログラムとして提供することができる。このプログラムは、コンピューターにより読み取り可能な非一時的な記録媒体、例えば、ハードディスク、ＣＤ−ＲＯＭ、ＤＶＤ−ＲＯＭ、半導体メモリーなどに記録される。この場合、当該プログラムを記録したコンピューターにより読み取り可能な非一時的な記録媒体が、本発明の一実施形態となる。
【符号の説明】
【００７４】
１０    情報端末装置
１２    表示部
１３    タッチパネル
１４    通信部
２０    制御ユニット
２１    制御部
２２    通信制御部
２３    操作検出部
２４    領域設定部
２５    分割比算出部
２６    表示制御部
２７    イベント判定部
【図１】
2019125054.tif 000003
【図２】
2019125054.tif 000004
【図３】
2019125054.tif 000005
【図４】
2019125054.tif 000006
【図５】
2019125054.tif 000007
【図６】
2019125054.tif 000008
【図７】
2019125054.tif 000009
【図８】
2019125054.tif 000010
【図９】
2019125054.tif 000011
【図１０】
2019125054.tif 000012